(57)【要約】【課題】上皿から零れ落ちた遊技球を回収可能な遊技機を提供すること。【解決手段】発射装置に遊技球を供給する供給部及び鉛直方向上側に形成される第１開口部を有し、払い出された遊技球を貯留する第１上皿と、鉛直方向上側に形成される第２開口部を有し、前記第１上皿の周囲に取り付けられる第２上皿と、を備える遊技機。【選択図】図１
2016059717.tif 000002
【特許請求の範囲】
【請求項１】
発射装置に遊技球を供給する供給部及び鉛直方向上側に形成されている第１開口部を有し、払い出された遊技球を貯留する第１上皿と、
鉛直方向上側に形成されている第２開口部を有し、前記第１上皿の周囲に取り付けられる第２上皿と、
を備えることを特徴とする遊技機。
【請求項２】
前記第２開口部は、前記第１開口部よりも鉛直方向において下方に設けられている
ことを特徴とする請求項１に記載の遊技機。
【請求項３】
前記第２上皿は、前記第１上皿に収納可能に設けられている
ことを特徴とする請求項１又は２に記載の遊技機。
【請求項４】
前記第１上皿が満杯状態のときに遊技球が払い出される下皿と、
前記第２上皿に回収された遊技球を前記下皿に送る上下通路と、
を備えることを特徴とする請求項１から３の何れか一項に記載の遊技機。
【請求項５】
前記上下通路を通過する遊技球を検知する検知手段と、
前記検知手段の検知結果に基づいて、前記第２上皿に回収された遊技球が前記下皿に排出されることを遊技者に知らせる報知手段を備える
ことを特徴とする請求項４に記載の遊技機。
【発明の詳細な説明】
【技術分野】
【０００１】
本発明は、遊技機に関する。
【背景技術】
【０００２】
一般的に、パチンコ遊技機には、払い出された遊技球を貯留し、遊技球を発射装置に供給する上皿と、上皿が満杯状態のときに遊技球が払い出される下皿とが本体前面に設けられている。このようなパチンコ遊技機において、遊技球が不足なく下皿に払い出されていることを遊技者が確認できるように、上皿から溢れた遊技球を、上皿に設けられている溢出口から溢出玉通路を経由して下皿に送る構成が知られている（特許文献１参照）。
【先行技術文献】
【特許文献】
【０００３】
【特許文献１】特開２００５−２０９号公報
【発明の概要】
【発明が解決しようとする課題】
【０００４】
上記した構成のパチンコ遊技機において、上皿に遊技球が無くなった場合には、遊技者が上皿に遊技球を補給することで遊技が継続される。ここで、遊技者が下皿又はドル箱に残っている遊技球を掴んで上皿に投入する場合には、遊技球が跳ねて上皿から零れ落ちたり、上皿の手前で手から零れ落ちたりして、遊技球が上皿に入らず周囲に散乱してしまう場合がある。また、特許文献１に開示されている構成では、上皿に投入した遊技球が溢出口に入り、再び下皿に送られてしまう可能性がある。
【０００５】
本発明は上記に鑑みてなされたものであって、一つの側面では、上皿から零れ落ちた遊技球を回収可能な遊技機を提供することを目的とする。
【課題を解決するための手段】
【０００６】
本発明の一態様の遊技機によれば、発射装置に遊技球を供給する供給部及び鉛直方向上側に形成される第１開口部を有し、払い出された遊技球を貯留する第１上皿と、鉛直方向上側に形成される第２開口部を有し、前記第１上皿の周囲に取り付けられる第２上皿と、を備える。
【発明の効果】
【０００７】
本発明の実施形態によれば、一つの側面では、上皿から零れ落ちた遊技球を回収可能な遊技機が提供される。
【図面の簡単な説明】
【０００８】
【図１】本発明の一実施形態に係るパチンコ機の外観を例示する図である。
【図２】本発明の一実施形態に係るパチンコ機を例示する側面図である。
【図３】本発明の一実施形態に係るパチンコ機を例示する上面図である。
【図４】本発明の一実施形態に係るパチンコ機において第２上皿が閉じられた様子を例示する上面図である。
【発明を実施するための形態】
【０００９】
以下、図面を参照して発明を実施するための形態について説明する。各図面において、同一構成部分には同一符号を付し、重複した説明を省略する場合がある。
【００１０】
＜遊技機の構成＞
まず、図１から図３に基づいて、本発明の一実施形態に係るパチンコ機１００の構成について説明する。図１は、本発明の一実施形態に係るパチンコ機１００の外観を例示する図である。図２は、パチンコ機１００を例示する側面図である。図３はパチンコ機１００を例示する上面図である。
【００１１】
パチンコ機１００は、図１から図３に示されるように、パチンコ機本体１０、遊技盤１１、操作ハンドル１２、第１上皿２１、第２上皿２２、下皿２３、上下通路３０、センサ３１、ランプ４０を有する。
【００１２】
遊技盤１１は、パチンコ機本体１０の前面中央上部に設けられている。遊技盤１１は、例えば始動口、入賞口、ディスプレイ等を有し、発射装置から遊技球が発射される。
【００１３】
操作ハンドル１２は、パチンコ機本体１０の右側下部に回転可能に設けられている。操作ハンドル１２が遊技者に操作されると、操作ハンドル１２の回転量に応じた強さで、発射装置から遊技球が遊技盤１１に発射される。
【００１４】
第１上皿２１は、遊技盤１１の下部に設けられ、パチンコ機本体１０から払い出される遊技球を貯留する。第１上皿２１は、鉛直方向上側に形成されている第１開口部２１ａ、発射装置に遊技球を供給する供給部を有する。
【００１５】
第２上皿２２は、鉛直方向上側に形成されている第２開口部２２ａ、第１上皿２１の外周面との間で遊技球を収容する収容部２２ｂを有し、第１上皿２１の周囲に取り付けられている。第２上皿２２の第２開口部２２ａは、第１上皿２１の第１開口部２１ａよりも鉛直方向において下方に設けられている。
【００１６】
第２上皿２２は、遊技者が下皿２３又はドル箱などから遊技球を第１上皿２１に移す際に、第１上皿２１から零れ落ちた遊技球を第２開口部２２ａから収容部２２ｂに収容して回収する。
【００１７】
また、第２上皿２２は、図４に示されるように、側壁及び底面が第１上皿２１に収納され、第１上皿２１に対して収容部２２ｂが収納可能に設けられている。遊技者は、第２上皿２２を使用しない場合には、第２上皿２２を第１上皿２１に収納することで、パチンコ機１００との間の遊技スペースを広く使うことができる。また、第２上皿２２を第１上皿２１に収納した状態にすることで、運搬時などにおいて省スペース化を図ることも可能になる。
【００１８】
なお、第２上皿２２は、第１上皿２１の周囲に取り付けられ、第１上皿２１から零れ落ちた遊技球を回収可能な形状であればよく、本実施形態において例示される形状に限られない。また、第２上皿２２は、例えば側壁部分が折り畳み可能に構成されるなど、本実施形態とは異なる機構により第１上皿２１に収納可能に設けられてもよい。
【００１９】
下皿２３は、第１上皿２１及び第２上皿２２の下部に設けられ、パチンコ機本体１０から払い出される遊技球を貯留する。下皿２３には、第１上皿２１が満杯状態のときに、パチンコ機本体１０から遊技球が払い出される。下皿２３が満杯状態になると遊技球の払い出しを受けることが出来なくなるため、下皿２３は、遊技者により払い出された遊技球がドル箱などに適宜移され、遊技球の払い出しを受けることが可能な状態に保たれる。
【００２０】
第１上皿２１に遊技球が無くなると、発射装置に遊技球が供給されなくなるため、遊技者は遊技を継続出来なくなる。そこで、遊技者は、遊技を継続する場合には、第１上皿２１における遊技球の残量に応じて、例えば下皿２３やドル箱の遊技球を第１上皿２１に投入する。
【００２１】
このとき、第１上皿２１で跳ねて零れ落ちた遊技球や、第１上皿２１の手前で遊技者の手から零れ落ちた遊技球は、第２上皿２２の第２開口部２２ａから収容部２２ｂに落ちて収容される。したがって、第１上皿２１に遊技球を投入する際に、第１上皿２１から零れ落ちて周囲に散乱する遊技球の数が低減される。このため、遊技者は、周囲に散乱した遊技球を拾い集めたりする労力が軽減され、継続して遊技を楽しむことが可能になる。
【００２２】
また、第２上皿２２と下皿２３との間には上下通路３０が設けられており、第２上皿２２に落ちた遊技球は、上下通路３０を通って下皿２３に排出される。上下通路３０には、遊技球の通過を検知するセンサ３１が設けられている。センサ３１は、検知手段の一例であり、例えば反射型光センサである。また、第１上皿２１と下皿２３との間には、ランプ４０が設けられている。ランプ４０は、報知手段の一例であり、センサ３１の検知結果に応じて発光するように制御される。
【００２３】
上記した構成により、第２上皿２２に回収された遊技球が上下通路３０を通過して下皿２３に排出される際には、センサ３１が遊技球を検知し、ランプ４０が発光する。遊技者は、第１上皿２１から零れ落ちた遊技球が第２上皿２２に回収され、下皿２３に排出されたことをランプ４０により確認できる。したがって、遊技者は、第２上皿２２に回収された遊技球がパチンコ機本体１０に飲み込まれたのではないかといった疑念を抱くことなく、遊技球の行方を確認できる。
【００２４】
なお、遊技者が上下通路３０を通過する遊技球を音で認識出来るように、センサ３１の検知結果に応じて音を発する構成であってもよい。また、遊技者が上下通路３０を通過する遊技球を目視で確認出来るように、上下通路３０及びパチンコ機本体１０の上下通路３０の前面部分が透明材料で形成されてもよい。
【００２５】
さらに、本実施形態では、上下通路３０により第２上皿２２に回収された遊技球が下皿２３に排出されるが、第２上皿２２と発射装置との間に遊技球の通路が設けられ、第２上皿２２に回収された遊技球が発射装置に導かれる構成であってもよい。また、第２上皿２２に回収された遊技球が第１上皿２１に戻される構成であってもよい。
【００２６】
＜総括＞
以上で説明したように、本実施形態に係るパチンコ機１００では、遊技球投入時に第１上皿２１から遊技球が零れ落ちた場合であっても第１上皿２１から零れ落ちた遊技球は第２上皿２２に回収される。したがって、遊技者は、零れ落ちて周囲に散乱した遊技球を拾い集めるといった労力が軽減され、遊技を継続して楽しむことが可能になる。
【００２７】
なお、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【符号の説明】
【００２８】
２１  第１上皿
２１ａ  第１開口部
２２  第２上皿
２２ａ  第２開口部
２３  下皿
３０  上下通路
３１  センサ（検知手段）
４０  ランプ（報知手段）
１００  パチンコ機
【図１】
2016059717.tif 000003
【図２】
2016059717.tif 000004
【図３】
2016059717.tif 000005
【図４】
2016059717.tif 000006